(57)【要約】      （修正有）【課題】外形が平板状の略直方体であり、その平板状の片面である前面にディスプレイを備える携帯端末を収容し、立て掛けてディスプレイを見ることのできる携帯端末ケースを提供する。【解決手段】外形が平板状の略直方体であり、その平板状の片面である前面にディスプレイを備える携帯端末を収容するケースであって、携帯端末のディスプレイを備えない側の平板状の片面である背面に対向する背面壁１１と、携帯端末の前面と背面との間に位置する左右上下の側面に対向する左右上下側面壁１２〜１５とを備える。さらに、ディスプレイを露出させた状態で、背面壁と左右上下側面壁との間に携帯端末を収容保持可能であり、背面壁１１に、背面壁１１から離隔する外方向に突出可能な舌片２０を備え、舌片２０を背面壁１１から離隔させた場合には、その舌片の端部と下側面壁とによってケースを立て掛けられる構成とする。【選択図】図６
0003177798.tif 000002
【実用新案登録請求の範囲】
【請求項１】
外形が平板状の略直方体であり、その平板状の片面である前面にディスプレイを備える携帯端末を収容するケースであって、
携帯端末のディスプレイを備えない側の平板状の片面である背面に対向する背面壁と、携帯端末の前面と背面との間に位置する左右上下の側面に対向する左右上下側面壁とを備えて、ディスプレイを露出させた状態で、背面壁と左右上下側面壁との間に携帯端末を収容保持可能であり、
背面壁に、背面壁から離隔する外方向に突出可能な舌片を備え、舌片を背面壁から離隔させた場合には、その舌片の端部と下側面壁とによってケースを立て掛けられる
ことを特徴とする携帯端末ケース。
【請求項２】
舌片が、
左右側面壁に沿った縦長であると共に、中央部が背面壁から離隔する外方向に膨出したドーム状であり、
その膨出部が携帯端末側に向かって押し込まれた場合には、膨出状態が解除すると共に、背面壁から離隔する外方向に突出し、
その突出した端部が携帯端末側に向かって押し込まれた場合には、膨出状態が復元すると共に、背面壁からの突出状態が解除する
請求項１に記載の携帯端末ケース。
【請求項３】
舌片が、背面壁に設けられた切れ込み状であり、また、金属板の内装された樹脂製である
請求項２に記載の携帯端末ケース。
【考案の詳細な説明】
【技術分野】
【０００１】
本考案は、スマートフォンなど、外形が平板状の略直方体であり、その平板状の片面である前面にディスプレイを備える携帯端末を収容するケースに関する。
【背景技術】
【０００２】
スマートフォンなど、外形が平板状の略直方体であり、その平板状の片面である前面にディスプレイを備える携帯端末の普及により、それを収容するケースの需要が高まっている。また、携帯端末を立て掛けて、ディスプレイを見たい需要も高まっている。
【０００３】
従来のケースには、特許文献１〜４などがあるが、ケースに収容させた状態で立て掛けて、ディスプレイを見ることのできるものはなかった。
【先行技術文献】
【特許文献】
【０００４】
【特許文献１】実用新案登録第３１７５４７８号「ベルクロ付スマートフォンケース」
【特許文献２】実用新案登録第３１７３２６２号「携帯端末ケース」
【特許文献３】実用新案登録第３１７０１８２号「差し込み型クリップ付きスマートフォンケース」
【特許文献４】実用新案登録第３１７０１７５号「押しボタン付き携帯電話、スマートフォン用保護ケース」
【考案の概要】
【考案が解決しようとする課題】
【０００５】
そこで、本考案は、外形が平板状の略直方体であり、その平板状の片面である前面にディスプレイを備える携帯端末を収容し、立て掛けてディスプレイを見ることのできる携帯端末ケースを提供することを課題とする。
【課題を解決するための手段】
【０００６】
上記課題を達成するため、本考案の携帯端末ケースは、次の構成を備える。
すなわち、外形が平板状の略直方体であり、その平板状の片面である前面にディスプレイを備える携帯端末を収容するケースであって、携帯端末のディスプレイを備えない側の平板状の片面である背面に対向する背面壁と、携帯端末の前面と背面との間に位置する左右上下の側面に対向する左右上下側面壁とを備えて、ディスプレイを露出させた状態で、背面壁と左右上下側面壁との間に携帯端末を収容保持可能であり、背面壁に、背面壁から離隔する外方向に突出可能な舌片を備え、舌片を背面壁から離隔させた場合には、その舌片の端部と下側面壁とによってケースを立て掛けられることを特徴とする。
【０００７】
ここで、舌片を、左右側面壁に沿った縦長であると共に、中央部が背面壁から離隔する外方向に膨出したドーム状とし、その膨出部が携帯端末側に向かって押し込まれた場合には、膨出状態が解除すると共に、背面壁から離隔する外方向に突出し、その突出した端部が携帯端末側に向かって押し込まれた場合には、膨出状態が復元すると共に、背面壁からの突出状態が解除する構成にしてもよい。
【０００８】
また、舌片を、背面壁に設けられた切れ込み状とし、金属板の内装された樹脂製で構成してもよい。
【考案の効果】
【０００９】
本考案によると、舌片を突出及び復帰させる操作が容易であり、その舌片を脚として、携帯端末を立て掛けることができる。
【図面の簡単な説明】
【００１０】
【図１】本考案による携帯端末ケースの正面図
【図２】同、右側面図
【図３】同、平面図
【図４】同、背面図
【図５】舌片を突出させた状態の右側面図
【図６】同、斜視図
【考案を実施するための最良の形態】
【００１１】
以下に、本考案の実施形態を図面に基づいて説明する。
ここでは、収容対象の携帯端末としてスマートフォンを挙げて説明するが、本考案によるケースは、外形が平板状の略直方体であり、その平板状の片面である前面にディスプレイを備える様々な携帯端末を収容することができる。
【００１２】
図１〜４は、本考案による携帯端末ケースの正面図、右側面図、平面図、背面図である。
携帯端末ケースは、収容対象の携帯端末のディスプレイを備えない側の平板状の片面である背面に対向する背面壁（１１）と、携帯端末の前面と背面との間に位置する左右上下の側面にそれぞれ対向する左側面壁（１２）、右側面壁（１３）、上側面壁（１４）、下側面壁（１５）とを備える。
これにより、携帯端末は、ディスプレイを露出させた状態で、背面壁（１１）と、左側面壁（１２）、右側面壁（１３）、上側面壁（１４）、下側面壁（１５）との間に収容保持される。
【００１３】
携帯端末はケースに嵌合させて収容する形態が簡便であるので、背面壁（１１）と、左側面壁（１２）、右側面壁（１３）、上側面壁（１４）、下側面壁（１５）の素材は、弾性を有する樹脂等が好ましい。
背面壁（１１）と、左側面壁（１２）、右側面壁（１３）、上側面壁（１４）、下側面壁（１５）は、携帯端末を保持できればよいので、必ずしも全幅存在する必要なく、破断している部分があってもよい。例えば、図示の例では、上側面壁（１４）及び下側面壁（１５）は、両側部のみ存在し、中央部に切り欠けがある。また、背面壁（１１）及び右側面壁（１３）にも、操作ボタン等を露出するための切り欠けがある。
なお、携帯端末のディスプレイを備える側の平板状の片面である前面にも、部分的に壁部を付設してもよい。
【００１４】
図５及び６は、舌片を突出させた状態の右側面図、斜視図である。
背面壁（１１）の中央部には、背面壁（１１）から離隔する外方向に突出可能な舌片（２０）が備わる。
舌片（２０）は、背面壁（１１）から離隔させた場合には、その舌片（２０）の端部（２１）と下側面壁（１５）とによってケースを立て掛けられるようにする機能をもつ。
【００１５】
舌片（２０）は、背面壁（１１）に設けられた略楕円状の切れ込み状であり、左右側面壁（１２）（１３）に沿った縦長であると共に、中央部が背面壁（１１）から離隔する外方向に膨出したドーム状である。
その膨出部（２２）が携帯端末側に向かって押し込まれると、膨出部（２２）が携帯端末に当接して膨出状態が解除される。すると、舌片（２０）は、膨出部（２２）の非膨出時における安定状態である形状に変わり、膨出部（２２）の端部がめくれあがり、背面壁（１１）から離隔する外方向に突出する。
逆に、突出した膨出部（２２）の端部が携帯端末側に向かって押し込まれると、膨出状態が復元し、背面壁（１１）からの突出状態が解除する。
【００１６】
舌片（２０）の材質としては、上記の膨出状態の復元及び解除の２つの安定状態を有する金属板を内装した樹脂製が好ましい。
また、舌片（２０）は、必ずしも切れ込み状である必要はなく、別体として、背面壁（１１）に付設してもよいし、形状も略楕円に限らず適宜設計変更可能である。
【産業上の利用可能性】
【００１７】
本考案の携帯端末ケースは、立て掛ける形態に容易に変形可能であり、携帯端末のディスプレイを見やすくでき、産業上利用価値が高い。
【符号の説明】
【００１８】
１１  背面壁
１２  左側面壁
１３  右側面壁
１４  上側面壁
１５  下側面壁
２０  舌片
２１  舌片の端部
２２  舌片の膨出部
【図１】
0003177798.tif 000003
【図２】
0003177798.tif 000004
【図３】
0003177798.tif 000005
【図４】
0003177798.tif 000006
【図５】
0003177798.tif 000007
【図６】
0003177798.tif 000008